(57)【要約】      （修正有）【課題】安全かつ容易にカップ容器の穿孔作業を行うことが可能な、穿孔治具を提供する。【解決手段】穿孔治具１０は、カップ容器を穿孔するものである。穿孔治具１０は、カップ容器の外形に沿った内側形状を有する側面１２と、側面１２に連接する天面１３とを有する治具本体１１と、治具本体１１の天面１３から治具本体１１の内側に向けて突設された突き刺し部２０と、を備えており、突き刺し部２０に、カップ容器を穿孔した際にカップ容器の内部と連通する空気孔２１が形成されている。【選択図】図１
0003215229.tif 000002
【実用新案登録請求の範囲】
【請求項１】
カップ容器を穿孔する穿孔治具において、
前記カップ容器の外形に沿った内側形状を有する側面と、前記側面に連接する天面とを有する治具本体と、
前記治具本体の前記天面から前記治具本体の内側に向けて突設された突き刺し部と、を備えた、穿孔治具。
【請求項２】
前記突き刺し部に、前記カップ容器を穿孔した際に前記カップ容器の内部と連通する空気孔が形成されている、請求項１記載の穿孔治具。
【請求項３】
前記突き刺し部は、断面Ｏ字状または断面Ｃ字状である、請求項１又は２記載の穿孔治具。
【請求項４】
前記突き刺し部の先端が傾斜している、請求項１乃至３のいずれか一項記載の穿孔治具。
【請求項５】
前記側面は、水平断面が円環形状であり、この円の直径は、前記天面から遠ざかるにつれて徐々に拡大するようになっている、請求項１乃至４のいずれか一項記載の穿孔治具。
【考案の詳細な説明】
【技術分野】
【０００１】
本考案は、カップ容器を穿孔する穿孔治具に関する。
【背景技術】
【０００２】
従来、プリンやゼリー等の内容物をカップ容器内から皿上に取り出す際、取り出しを容易にするためにカップ容器の底部に設けられた突起を折り倒して、底部に通気孔を形成することが知られている。しかしながら、このような構成では、折り倒した突起が異物となりプリン等に混入するおそれがあるため、カップ容器から内容物を取り出して顧客に対して提供する飲食店等では、突起を設けないカップ容器を使用することが望ましい。底部に突起を設けないカップ容器を用いる場合には、容器の底部に通気孔を形成する手段として、容器と別部材として設けられた把手に突起部を設け、この突起部を底部に押圧して穿孔することで、内容物を取り出す技術が知られている（例えば特許文献１参照）。
【先行技術文献】
【特許文献】
【０００３】
【特許文献１】実開平６−８７２８９号公報
【考案の概要】
【考案が解決しようとする課題】
【０００４】
ところで、レストラン等では、このようなカップ容器からプリンやゼリー等の内容物を取り出す作業を大量かつ迅速に行うことが求められている。しかしながら、上記特許文献１のように把手に突起部を設ける構成では、穿孔作業が不安定であり、また穿孔作業を大量かつ迅速に行うことは難しい。また、作業中に、把手に設けられた突起部が指等に当たり負傷するリスクもある。
【０００５】
本考案はこのような点を考慮してなされたものであり、安全かつ容易にカップ容器の穿孔作業を行うことが可能な、穿孔治具を提供することを目的とする。
【課題を解決するための手段】
【０００６】
本考案は、カップ容器を穿孔する穿孔治具において、前記カップ容器の外形に沿った内側形状を有する側面と、前記側面に連接する天面とを有する治具本体と、前記治具本体の前記天面から前記治具本体の内側に向けて突設された突き刺し部と、を備えた、穿孔治具である。
【０００７】
本考案は、前記突き刺し部に、前記カップ容器を穿孔した際に前記カップ容器の内部と連通する空気孔が形成されている、穿孔治具である。
【０００８】
本考案は、前記突き刺し部は、断面Ｏ字状または断面Ｃ字状である、穿孔治具である。
【０００９】
本考案は、前記突き刺し部の先端が傾斜している、穿孔治具である。
【００１０】
本考案は、前記側面は、水平断面が円環形状であり、この円の直径は、前記天面から遠ざかるにつれて徐々に拡大するようになっている、穿孔治具である。
【考案の効果】
【００１１】
本考案によれば、安全かつ容易にカップ容器の穿孔作業を行うことができる。
【図面の簡単な説明】
【００１２】
【図１】図１は、本実施の形態による穿孔治具の天面を下方に向けた状態を示す斜視図。
【図２】図２は、本実施の形態による穿孔治具を示す正面図。
【図３】図３は、本実施の形態による穿孔治具を示す底面図。
【図４】図４は、本実施の形態による穿孔治具を示す垂直断面図（図３のIV−IV線断面図）。
【図５】図５は、本実施の形態による穿孔治具の突き刺し部を示す拡大断面図。
【図６】図６（ａ）−（ｄ）は、本実施の形態による穿孔治具の作用を示す垂直断面図。
【考案を実施するための形態】
【００１３】
以下、本考案による穿孔治具の一実施の形態について、図１乃至図６を用いて説明する。図１乃至図６は、本考案の一実施の形態を示す図である。以下に示す各図において、同一部分には同一の符号を付しており、一部詳細な説明を省略する場合がある。
【００１４】
なお、本明細書中、「上」および「下」とは、それぞれ穿孔治具１０を用いた作業時、すなわち治具本体１１の天面１３を鉛直方向上方に向けた状態（図２、図４および図６参照）における上方および下方のことをいう。
【００１５】
図１乃至図４に示すように、本実施の形態による穿孔治具１０は、後述するカップ容器５０（図６参照）を穿孔するための治具であり、治具本体１１と、治具本体１１に設けられた突き刺し部２０と、を備えている。
【００１６】
このうち治具本体１１は、全体としてボウル状またはドーム状であり、カップ容器５０（図６参照）の外面を包む形状を有している。この治具本体１１は、カップ容器５０（図６参照）の外形に沿った内側形状を有する側面１２と、側面１２の上端側（一端側）に連接する天面１３と、側面１２の下端側（他端側）に連接するフランジ部１４とを有している。これら側面１２と、天面１３と、フランジ部１４とは、互いに一体化されている。
【００１７】
側面１２は、水平断面が円環形状であり、この円の直径は、天面１３側から遠ざかるにつれて徐々に拡大するようになっている。すなわち、側面１２は、天面１３側からフランジ部１４側に向けて拡径している。この側面１２は、垂直断面（図４）において略直線状に形成されているが、これに限らず、垂直断面において側面１２が湾曲していても良い。また、垂直断面（図４）において、側面１２と天面１３との角部および側面１２とフランジ部１４との角部は、それぞれ丸みを帯びて形成されている。側面１２の高さＨ１（図２）は、例えば３０ｍｍ以上７０ｍｍ以下としても良い。なお、側面１２の高さＨ１は、カップ容器５０の高さよりも低くすることが好ましい。
【００１８】
天面１３は、カップ容器５０を穿孔する際に上方から手で押圧される面であり、平面視円形状を有している。天面１３の直径Ｄ１（図３）は、例えば３０ｍｍ以上７０ｍｍ以下としても良い。天面１３の中心部には、後述する突き刺し部２０の空気孔２１と連通する天面開口１５が形成されている。この場合、天面１３は、略平坦な水平面から構成されているが、これに限らず、天面１３が曲面から構成されていても良い。
【００１９】
フランジ部１４は、カップ容器５０を穿孔する際に、カップ容器５０の内容物を載せる皿側を向く面である。フランジ部１４は、平面視円環形状を有しており、側面１２の下端全周にわたって形成されている。このフランジ部１４を構成する円環の内側には、カップ容器５０が通過する開口部１６が形成されている。また、図４に示すように、フランジ部１４の外縁は、径方向内側に向けて折り返されている。なお、フランジ部１４の外径Ｄ２（図３）は、例えば６０ｍｍ以上１００ｍｍ以下としても良い。
【００２０】
次に、突き刺し部２０について説明する。
【００２１】
突き刺し部２０は、治具本体１１の天面１３から治具本体１１の内側（下方）に向けて突設している。この場合、突き刺し部２０は、天面１３の中央部分に設けられ、天面１３に対して垂直な方向に延びている。この突き刺し部２０は、後述する傾斜部２３を除いて細長い略円筒形状であり、その水平断面はＯ字状となっている。
【００２２】
図５に示すように、突き刺し部２０の径方向中央部には、突き刺し部２０の長手方向に全域にわたって空気孔２１が延びている。空気孔２１は、円形状の水平断面を有している。また、空気孔２１は、下端において傾斜部２３（後述）に開口するとともに、上端において天面開口１５に連通している。この空気孔２１は、カップ容器５０を穿孔した際に、カップ容器５０の内部と連通するものであり、これにより、カップ容器５０内の空気を天面１３の天面開口１５から外方に逃がす役割を果たす。なお、空気孔２１は、カップ容器５０の内部と外部とを連通することができるものであれば良く、例えば突き刺し部２０の側面に向けて開放されていても良い。この場合、突き刺し部２０は、その長手方向の全体または一部がＣ字状の水平断面となっていても良い。
【００２３】
また、突き刺し部２０の先端（天面１３の反対側の端部）２２には、傾斜部２３が形成されている。この傾斜部２３は、突き刺し部２０の中心軸に対して傾斜している。傾斜部２３を設けたことにより、カップ容器５０を穿孔する際、突き刺し部２０の先端２２に力が集中し、カップ容器５０を容易に穿孔することができる。
【００２４】
突き刺し部２０の長さＬ１（図５）は、例えば５ｍｍ以上１５ｍｍ以下としても良い。また、突き刺し部２０のうち傾斜部２３を除く部分の長さＬ２（図５）は、突き刺し部２０の長さＬ１の例えば３０％以上７０％以下としても良い。また、突き刺し部２０の直径Ｄ３は、例えば２．０ｍｍ以上３．５ｍｍ以下としても良い。さらに、空気孔２１の直径Ｄ４は、突き刺し部２０の直径Ｄ３の例えば３０％以上７０％以下としても良い。
【００２５】
なお、治具本体１１は、例えばステンレス、アルミニウム等からなる金属板をプレス加工することにより作製されている。また、突き刺し部２０は、例えばステンレス、アルミニウム等からなる金属材料から構成され、治具本体１１の天面１３に対して例えば溶接により固定されている。
【００２６】
次に、このような構成からなる本実施の形態について、図６（ａ）−（ｄ）を参照して説明する。
【００２７】
まず、図６（ａ）に示すように、プリンやゼリー等の内容物Ｐが充填された合成樹脂製のカップ容器５０を準備する。このとき、カップ容器５０に取り付けられている図示しない外側蓋包装は予め剥がしておく。このカップ容器５０は、カップ開口５１と、カップ側部５２と、カップ底部５３とを有している。
【００２８】
次に、カップ容器５０のカップ開口５１が下方を向くようにして、カップ容器５０を皿Ｓ上に載置する。このとき、カップ底部５３と内容物Ｐとの間には、実質的に空気が進入していないため、内容物Ｐは重力によって落下することなく、カップ底部５３に密着している。次いで、この状態で、突き刺し部２０がカップ底部５３側を向くようにして、穿孔治具１０をカップ容器５０に被せる。
【００２９】
続いて、図６（ｂ）に示すように、穿孔治具１０を皿Ｓ側に向けて下降させる。これにより、穿孔治具１０の突き刺し部２０は、カップ容器５０のカップ底部５３に当接する。なお、このときカップ容器５０のカップ側部５２を左右から指で挟み込むように押圧することにより、内容物Ｐをカップ容器５０からより落下させやすくすることができる。
【００３０】
次いで、図６（ｃ）に示すように、穿孔治具１０をカップ容器５０に対して手で下方に押し込むことにより、穿孔治具１０の突き刺し部２０がカップ底部５３を突き破る。これにより、カップ容器５０のカップ底部５３に通気孔５４が形成される。この際、穿孔治具１０の天面開口１５から突き刺し部２０の空気孔２１を介して、カップ容器５０の内部と外部とが連通する。これにより、カップ底部５３と内容物Ｐとの間に空気が進入し、カップ容器５０内の内容物Ｐが自重で皿Ｓ上に落下する。
【００３１】
その後、図６（ｄ）に示すように、穿孔治具１０およびカップ容器５０を一体として引き上げることにより、内容物Ｐが載置された皿Ｓが得られる。なお、必要に応じて、穿孔治具１０を用いて、多数のカップ容器５０に対してこのような穿孔作業を繰り返しても良い。
【００３２】
このように本実施の形態によれば、穿孔治具１０の天面１３から治具本体１１の内側に向けて突き刺し部２０が突設され、穿孔作業時にこの突き刺し部２０がカップ容器５０を穿孔する。これにより、カップ容器５０内の内容物Ｐを皿Ｓ上に載せる作業を効率良く行うことができる。とりわけ、レストラン等の施設で、大量のカップ容器５０から内容物Ｐを取り出す必要がある場合に、このような穿孔作業を安定して迅速に行うことができる。また、突き刺し部２０が治具本体１１の内側に設けられているので、作業中に突き刺し部２０が指等に当たって負傷するおそれも少ない。
【００３３】
また本実施の形態によれば、突き刺し部２０に、カップ容器５０を穿孔した際にカップ容器５０の内部と連通する空気孔２１が形成されている。また、突き刺し部２０は、断面Ｏ字状または断面Ｃ字状である。これにより、カップ底部５３と内容物Ｐとの間に空気を確実に進入させることができ、カップ容器５０内の内容物Ｐを自重で皿Ｓ上に落下させる作業を安定して行うことができる。
【００３４】
また本実施の形態によれば、突き刺し部２０の先端２２が傾斜しているので、カップ容器５０のカップ底部５３に容易に通気孔５４を形成することができる。
【００３５】
また本実施の形態によれば、側面１２は、水平断面が円環形状であり、この円の直径は、天面１３から遠ざかるにつれて徐々に拡大するようになっている。この場合、治具本体１１がカップ容器５０の形状に対応するので、カップ容器５０に沿って治具本体１１を下降させる作業が行いやすく、穿孔作業を安定して行うことができる。
【００３６】
本考案は上記実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の考案を形成できる。実施の形態に示される全構成要素から幾つかの構成要素を削除してもよい。
【符号の説明】
【００３７】
１０        穿孔治具
１１        治具本体
１２        側面
１３        天面
１４        フランジ部
１５        天面開口
１６        開口部
２０        突き刺し部
２１        空気孔
２２        先端
２３        傾斜部
５０        カップ容器
５１        カップ開口
５２        カップ側部
５３        カップ底部
５４        通気孔
【図１】
0003215229.tif 000003
【図２】
0003215229.tif 000004
【図３】
0003215229.tif 000005
【図４】
0003215229.tif 000006
【図５】
0003215229.tif 000007
【図６】
0003215229.tif 000008